(57)【特許請求の範囲】
【請求項１】
左右方向に延び、かつ前後方向に互いに対向する少なくとも第１の針床と第２の針床を有し、前記針床の少なくとも一方が左右にラッキング可能で、前記針床間で編目の目移しが可能な横編機を用いて、
身頃と別途編まれる衿編地を身頃に形成する衿ぐりに編成中に接合するための横編機による衿付きニットウエアの編成方法であって、
ａ）身頃を裾から衿ぐりの形成を開始する分岐部まで編成するステップ、
ｂ）身頃の編成と並行し、もしくは身頃の編成と前後して衿編地を身頃と分離して編成するステップ、
ｃ）衿編地を身頃に形成される衿ぐりに対して以下のステップを含んで接合することを特徴とする；
ｃ−１）左右に分岐して編まれる一方の身頃を編成していく間に、該一方の身頃の衿ぐり側の側端の編目に、衿編地の編み幅中央寄り部分から前記一方の身頃に対峙し、外側にかけての衿部分を、中央寄り部分の編目から順に重ねて一方の身頃に接合するステップ、
ｃ−２）左右に分岐して編まれる他方の身頃を編成していく間に、該他方の身頃の衿ぐり側の側端の編目に、衿編地の編み幅中央寄り部分から前記他方の身頃に対峙し、外側にかけての衿部分を、中央寄り部分の編目から順に重ねて他方の身頃に接合するステップ。
【請求項２】
衿ぐりは、左右に分岐して編まれる身頃の間に所定数のウエールを挿入したフラット状の衿ぐり部分を有し、該衿ぐり部分が衿編地の編み幅の中央側の衿部分と伏せ目編成により接合され、それに続いて前記工程ｃ）のステップが行われる請求項１に記載の横編機による衿付きニットウェアの編成方法。
【請求項３】
衿編地は周囲が閉鎖された衿ぐりの全周に対して接合するために前記左右に分岐して編成される身頃の側端に形成される衿ぐりに接合される衿部分よりも編幅を広く編成されることを特徴とする請求項１または２に記載の横編機による衿付きニットウェアの編成方法。
【請求項４】
身頃は一方の身頃の裾から肩に向けて編成され、続いて他方の身頃の裾に向けて編成することで前身頃と後身頃が肩部において連編され、且つ身頃の編成の間に周囲が閉鎖された衿ぐりを形成するものであり、
衿編地は編成されていく身頃の衿ぐりに順次接合されていき、
衿編地の接合されずに残っている衿部分を目移しにより編目の配列を左右入れ替えた状態で左右に分岐して編まれる身頃の間に配置させ、この衿部分と左右に分岐して編まれる身頃の編目に続けてコース編成を行うことで残る衿部分と身頃を接合する請求項３に記載の横編機による衿付きニットウェアの編成方法。
【発明の詳細な説明】
技術分野
本発明は横編機を用いて編成されるセーターやカーディガン等のニットウエアの衿ぐりに衿編地が一体に編成されたニットウエアおよびその編成方法に関する。
背景技術
横編機を用いてニットウエアに形成される衿ぐりに衿を一体に編成するものとして特開平６−１８４８８６号や特開平４−２１４４４８号などがある。
特開平６−１８４８８６号は前身頃の裾から肩に向けて編み始め肩範囲にＶ形や丸い衿ぐりを形成した後、続いて後身頃を肩から裾に向けて編成して編み終わるものである。しかしながら上記のものは衿ぐりで前身頃を左右に分岐させ、その一方の身頃を編成する際に身頃の衿ぐり側の一部を衿として編成する。そのため衿の編み組織は表目、裏目がコース毎に入れ替わるガータ組織などで編まれることが多い。この方法によるものは編成中に衿が一体に編成されるため編み立て後のリンキング等の縫製工程が不要になる点で有利であるが、身頃側端のウエールが衿の先端に現れてしまう。また衿の編目の向きは身頃の編目の向きと同じになってしまう。
特開平４−２１４４４８号は前身頃を衿ぐり開口で左右に分岐させ、編成する側の一方の前身頃を衿ぐりから遠ざかるほうへ移動するとともに衿ぐり周縁に増し目を形成することで衿ぐりの周長を広げるとともに衿の前下がりを形成するものである。この方法では前身頃を編成して角形や丸形等の衿ぐりを形成した後、衿ぐりの編目に続けて衿編地を編成するものである。そのため衿ぐりの抉り（衿下がり）を大きくするには増し目の回数を多くしなければならないがこれは容易なことではない。またこの方法では編み終わり側が衿の先端に現れてしまう。
一方、従来通りの縫製により衿を衿ぐりに縫合して仕上げられるニットウエアの場合では、別途編まれた衿の編み終わり箇所を身頃の衿ぐりに縫合するので編出し側が衿の先端部に現れ、しっかりした衿となる。しかも衿の編み組織は１×１リブや平編みを袋編みしたものが多く上記したガーター組織のものとは仕上がった製品の風合いやイメージが大きく違った。
特公平３−７５６５６号公報には前後一対の針床を対向配置させた所謂２枚ベッド横編機を用いて、前後針床の奇数番目の針を例えば前側編地、偶数番目の針を後側編地を編成用の針としてそれぞれ１本置きの針を使用して前側編地を編成する際に後側編地を後針床に係止（付属）させ、反対に後側編地を編成する際に前側編地を前針床に付属させて各編地を前後に重ね合わせた状態で編成することでそれぞれの編地は、目移し用の空針を対向する針床上に常に確保でき、この空針を使うことでリンクス、ガーター、リブなどの表目／裏目が混在した組織柄を編成したり、編目を横方向に移動させることができることが開示されている。また４枚ベッド横編機を使用する場合では、前側編地を例えば下部前針床と上部後針床の針で編成し、後側編地を下部後針床と上部前針床の針を使用し、前側編地を編成する際に後側編地を下部後針床に付属させ、反対に後側編成する際に前側編地を下部前針床に付属させて編成することで２枚ベッド横編機のように１本置きの針を使用するといった制限なしに編成を行うことができることが知られている。
本発明は、編成中に衿と身頃を接合編成してリンキング等の後工程を省力化するとともに衿の編み組織を１×１リブやフクロ編みなど任意のものを採用することを可能にしてニットウエアのデザイン性を高めることを目的とする。
発明の開示
本発明の衿付きニットウエアでは、衿ぐりは、前後の身頃のうち先に形成される身頃の左右に分岐して編まれる一方の身頃の側端に形成される第１衿ぐり部分、左右に分岐して編まれる他方の身頃の側端に形成される第２衿ぐり部分、および後で編まれる身頃に形成される第３衿ぐり部分、の少なくとも３つの衿ぐり部分で構成され、
衿編地は、前記衿ぐり全周に対して接合するために十分なだけの編み幅を有し、
ａ）第１衿ぐり部分と接合される第１衿部分、
ｂ）第２衿ぐり部分と接合される第２衿部分、
ｃ）前記第１または／および第２衿部分の外側に位置し、第３衿ぐり部分に接合される第３衿部分、の少なくとも３つの衿部分で構成された１つの衿編地からなり、
第１衿ぐり部分を形成する身頃編成の間に第１衿ぐり部分と第１衿部分の最終コースの編目が重ね目により接合され、続く第２衿ぐり部分を形成する身頃編成の間に第２衿ぐり部分と第２衿部分の最終コースの編目が重ね目により接合され、最後に第３衿部分が編目配列を左右入れ替えた状態で衿ぐり開口部分に移し替えられ、該第３衿部分の最終コースの編目に続いて他方の身頃のコース編成が行われることで他方の身頃に形成される第３衿ぐり部分と第３衿部分が接合される。
好ましくは衿編地はＶネック用の衿編地であって、編み出し側よりも編み終わり側のウエール数が多くなるようにＶネックの剣先部を中心として所定コースの編成毎に増やし編成され、衿ぐりはＶネックの形状に沿うように身頃の編み幅が徐々に減らされている。
好ましくは衿ぐりは、左右に分岐して編まれる身頃の間に所定数のウエールを挿入した第４衿ぐり部分を更に含んだ丸形もしくは角形の衿ぐりであって、衿編地は第１衿部分と第２衿部分との間に第４衿部分を有し、他の衿部分よりも先に第４衿部分は第４衿ぐり部分と伏せ目編成によって接合されている。
また本発明の衿付きニットウエアの編成方法では、左右方向に延び、かつ前後方向に互いに対向する少なくとも第１の針床と第２の針床を有し、前記針床の少なくとも一方が左右にラッキング可能で、前記針床間で編目の目移しが可能な横編機を用いて、身頃と別途編まれる衿編地を身頃に形成する衿ぐりに編成中に接合するための横編機による衿付きニットウエアの編成方法であって、
ａ）身頃を裾から衿ぐりの形成を開始する分岐部まで編成するステップ、
ｂ）身頃の編成と並行し、もしくは身頃の編成と前後して衿編地を身頃と分離して編成するステップ、
ｃ）衿編地を身頃に形成される衿ぐりに対して以下のステップを含んで接合することを特徴とする；
ｃ−１）左右に分岐して編まれる一方の身頃を編成していく間に、該一方の身頃の衿ぐり側の側端の編目に、衿編地の編み幅中央寄り部分から前記一方の身頃に対峙し、外側にかけての衿部分を、中央寄り部分の編目から順に重ねて一方の身頃に接合するステップ、
ｃ−２）左右に分岐して編まれる他方の身頃を編成していく間に、該他方の身頃の衿ぐり側の側端の編目に、衿編地の編み幅中央寄り部分から前記他方の身頃に対峙し、外側にかけての衿部分を、中央寄り部分の編目から順に重ねて他方の身頃に接合するステップ。
好ましくは衿ぐりは、左右に分岐して編まれる身頃の間に所定数のウエールを挿入したフラット状の衿ぐり部分を有し、該衿ぐり部分が衿編地の編み幅の中央側の衿部分と伏せ目編成により接合され、それに続いて前記工程ｃ）のステップが行われる。
好ましくは衿編地は周囲が閉鎖された衿ぐりの全周に対して接合するために前記左右に分岐して編成される身頃の側端に形成される衿ぐりに接合される衿部分よりも編み幅を広く編成される。
好ましくは身頃は一方の身頃の裾から肩に向けて編成され、続いて他方の身頃の裾に向けて編成することで前身頃と後身頃が肩部において連編され、且つ身頃の編成の間に周囲が閉鎖された衿ぐりを形成するものであり、衿編地は編成されていく身頃の衿ぐりに順次接合されていき、衿編地の接合されずに残っている衿部分を目移しにより編目の配列を左右入れ替えた状態で左右に分岐して編まれる身頃の間に配置させ、この衿部分と左右に分岐して編まれる身頃の編目に続けてコース編成を行うことで残る衿部分と身頃を接合する。
本発明によれば分岐して編まれる左右の身頃のうち、まず左右一方の身頃が編成されていく間に第１衿ぐり部分を形成する身頃の側端部分と衿編地の第１衿部分の最終コースの編目が目移しにより重ねられ接合されていく。続いて他方の身頃が編成されていく間に第２衿ぐり部分を形成する身頃の側端部分と衿編地の第２衿部分の最終コースの編目が目移しにより重ねられ接合されていくことになる。そして第３衿部分を目移しにより編目配列を左右入れ替えて第３衿ぐり部分を形成する箇所に移動して、この第３衿部分に連編して身頃の編成が行われる。その結果、横編機での編成工程の間に身頃と分離して編まれた衿編地は、その編み終わり部分が身頃に形成した衿ぐり全周に対して接合されることになる。衿編地は従来のように身頃の一部として編成されず、衿編地として独立して編成されるので編み組織をリブ編みやフクロ編みにするなど所望の編み組織で編成できる。そしてこのようにして編んだ衿編地の編み終わり部を編成中の身頃に接合するので衿編地の編目の向きと身頃の編目の向きを変えることができるなど縫製により仕上げられるニットウエアに近いものを横編機上で得ることができニットウエアのデザイン性を高めることができる。また上記のように身頃に衿ぐりを形成しながら別途編んだ衿編地をこの衿ぐりに接合していくので編成は容易で衿ぐりの衿下がりを大きくしたデザインのニットウエアを得ることもできる。
好ましくは衿編地は、Ｖネックの剣先部を中心としてその編み幅を徐々に増やすことになり、結果編まれた衿編地は無負荷の状態では剣先部を頂部とした概略逆Ｖ字形状となる。このため身頃の編み幅を徐々に減らして基部をＶ字状とした衿ぐりに接合したときにぴったりとフィットする。
また衿ぐり形成部で身頃が左右に分岐して編成されるのであるが、その際、左右の身頃の間の所定数のウエールを挿入した第４衿ぐり部分とし、これに対して衿編地の第１衿部分と第２衿部分との間にある第４衿部分が伏せ目編成によりこの第４衿ぐり部分に最初に接合されることになるので衿ぐり基部が丸形もしくは角形の形状のデザインにすることができる。
発明を実施するための最良の形態
次に本発明の好適な実施例を図面と共に以下詳細に説明する。本実施例では図示しないが上面に夫々多数の編針を列設した前針床と後針床を前後対峙し、後針床が左右にラッキング可能で、前後針床間で目移しが可能ないわゆる汎用タイプの２枚ベッド横編機が使用される。
図１は本実施例で編成するニットウエアとしてベスト１の概略平面図を示す。ベスト１はＵ形の衿ぐり１２を有し、同時に編成される衿編地１１が編成工程の間にこの衿ぐり１２に接合される。ベスト１の前身頃３と後身頃５はともに無地、衿編地１１は１×１のリブ編み組織からなるものとする。図２は編まれたベスト１を肩ライン１７で折り畳んだ状態を示し、前身頃３と後身頃５は編成後に脇ラインで縫合されるとともに後述する衿編地１１の側端同士（図２の２０ａ，２０ｂ）を縫合して仕上げられる。図３と図４は、横編機でのベスト１の編成工程、特に衿編地１１と衿ぐり１２の接合工程を模式的に示し、図５〜図８は、各工程を詳細に示した編成ステップを示す。ベスト１は前身頃３の裾７を編み始め部とし、肩に向けて編み進められる。前身頃１の衿ぐり１２の開口部４が形成されるラインＰまでの編成は公知故にここでは省略する。
編成ステップ図は、説明の便宜を図るため実際の編成に使用される針数よりも極少数の針数とした。図の左端に示した数字はステップを示す。２１は前針床、２２は後針床を示し、大文字のアルファベットは奇数番目の針を、小文字のアルファベットは偶数番目の針を示す。ベスト１の前身頃３は奇数番目の針、衿編地１１は偶数番目の針を用い、それぞれ１本置きの針を使用して編まれる。
図５〜図８では、各記号は次の意味を表すものとする。丸は左右に分岐して編まれる左右の前身頃の編目を示し、黒丸は衿ぐり基部１２ｃ（第４衿部ぐり分）を形成する前身頃の中央部の編目を表す。角は衿編地１１の編目を表し、そのうち白角は身頃に接合されたときに横に延びる衿部分の編目を示し、左より後身頃に形成される衿ぐり部分１２ａ（第３衿ぐり部分）に接合される衿部分１１ａ、衿ぐり基部１２ｃに接合される衿部分１１ｃ（第４衿部分）、黒角は縦に延びる衿部分の編目を示し、左より右前身頃１５に形成される衿部分１２ｂ（第２衿ぐり部分）、左前身頃１３に形成される衿部分１２ｄ（第１衿ぐり部分）を示す。二重丸は重ね目、ドットは空き針、上下の向きの矢印は目移しをそれぞれ表す。
ステップ１はラインＰまでの編成が終わった状態の針床における編地の係止状態を示し、前身頃３が前針床の奇数番目の針Ｈ〜Ｕに係止されている（図３のＡに相当）。以下、ステップ１のように前後針床の対応する針が向き合った状態をラッキング原点（０Ｐ）とし、ラッキングの振り量はこれを基準にして記述する。
続くステップ２では１×１リブの編み組織を有する衿編地１１を偶数番目の前後の針ａ〜ｖに交互に給糸して編成する。衿編地１１は前身頃３に対峙させ後針床に付属させて編成される。衿編地１１を前身頃３と並行して編成してもよく、あるいは前身頃３よりも先に編成してもよい。その場合にはラインＰに至る前に衿編地１１の編成を開始する。衿編地１１の編成を行っている間は前身頃３は前針床の針に係止された状態を維持する。衿編地１１は衿ぐり１２の全周に対して接合できるだけの編み幅を有す。衿編地１１は、１１ａ，１１ｂ，１１ｃ，１１ｄからなる衿部分で構成され、１１ａは衿ぐり１２の１２ａ、１１ｂは１２ｂ、１１ｃは１２ｃ、１１ｄは１２ｄにそれぞれ接合される。衿編地の１１ａはａ〜ｆ間の針、１１ｂはｇ〜ｋ間の針、１１ｃはｌ〜ｑ間の針、１１ｄはｒ〜ｖ間の針で編成される。１１ｂと１１ｄはそれぞれ６ウエールを有し、１１ａと１１ｃはそれぞれ５ウエールを有する。本実施例のベスト１はＵ首の前の衿下がりが大きいデザインであるため衿編地１１の編み幅は身頃３の編み幅よりも大きい。衿編地１１に付したｓは編み出し側、ｏは編み終わり側を示し、衿の編み終わり側が身頃に接合される。
ラインＰ以降、前身頃３は右前身頃１５と左前身頃１３に分岐して編まれ、針Ｈ〜Ｋを用いて右前身頃、針Ｒ〜Ｕを用いて左前身頃がそれぞれ編成され、その間に衿ぐり基部１２ｃが形成される。ステップ３は衿編地１１を編成した後、前針床で編まれた衿編地１１の編目を後針床に移した状態を示し、前針床に前身頃３、後針床に衿編地１１がそれぞれ係止される（図３のＢに相当）。
ステップ４〜７は、前身頃の衿ぐり基部１２ｃと衿部分１１ｃの接合編成を示す。ステップ４は針Ｌに係止される前身頃３の編目と針ｌに係止される衿部分１１ｃの編目に対して伏目処理を行う。伏目編成は紙面左から右に向けて行い、これにより衿編地１１の衿部分１１ｃと前身頃３の最終コースの編目同士が解れ止めを施されながら処理される。伏目の方法にもいろいろあるが例えば特開平９−２４１９５０号のように前後の編地の編目同士を交差させながら行えば接合箇所をフラットに仕上げられる。ステップ５はステップ４による伏目処理が行われ針Ｌ・ｌから編目が解放された状態を示す。ステップ６は針Ｍ・ｍでの伏目を示す。（途中省略）。ステップ７は針Ｑ・ｑまでの伏目処理が終了した状態を示し、前身頃の衿ぐり基部１２ｃと衿部分１１ｃが接合され針から解放される（図３のＣに相当）。なおラインＰで衿ぐり基部１２ｃとなる前身頃３のコース編成は終わるが、衿ぐり基部１２ｃの中心よりも外側のほうがコース数が多くなるように引き返し編みして衿ぐり部分１２ｃを円弧状に形成してから上記の伏目編成を行うようにしてもよい。
次のステップ８〜１３は、衿部分１１ｄと左前身頃１３の側端に形成される衿ぐり部分１２ｄの接合編成を示す。まずステップ８で衿部分１１ａ、１１ｂを前針床へ移し、後針床に衿部分１１ｄだけが係止された状態にする。そして次のステップ９〜１３では、左前身頃１３を所定コース、例えば２コース編成する毎に後針床の針ｒ〜ｖに係止される衿部分１１ｄの編目を針ｒから順に前身頃１３の側端の針Ｒに移動して重ねていく。ステップ９は後針床を左へ１針分ラッキングした状態にして、ステップ１０は左へ３針分、ステップ１１は左へ５針分、ステップ１２は左へ７針分、ステップ１３は左へ９針分ラッキングした状態で衿部分１１ｄの編目が目移しされて重ねられる。これにより衿部分１１ｄと衿ぐり部分１２ｄが接合される（図３のＤに相当）。
続くステップ１４〜１７は、衿部分１１ｂと右前身頃１５に形成される衿ぐり部分１２ｂの接合編成を示す。まずステップ１４で衿部分１１ａ、１１ｂを後針床へ移し戻すが、このとき衿部分１１ａの編目の移し替え、言い換えると編目が前針床と後針床間を往復する回数を少なくするために後針床を左へ１４針分ラッキングした状態で行う。接合編成は上記衿ぐり部分１２ｄと衿部分１１ｄの接合編成と同様にコースが２コース編成される毎に行われる。後針床の針ｎ〜ｒに係止される衿部分１１ｂの編目を針ｒから順に右前身頃１５の側端の針Ｋに重ねていき、ステップ１５では左１５針分、ステップ１６では左１３針分、（途中省略）、ステップ１７では左７針分ラッキングした状態で目移しが行われる。これにより衿部分１１ｂと衿ぐり部分１２ｂが接合される（図４のＥに相当）。
ステップ１８〜２３は衿部分１１ａを後続編成される後身頃５に形成する衿ぐり部分１２ａと接合するために衿部分１１ａを移動するステップを示す。ステップ１８では左３針分、ステップ１９では右へ１針分、ステップ２０では右へ５針分、ステップ２１では右へ９針分、ステップ２２では右へ１３針分、そしてステップ２３では右へ１７針分ラッキングした状態で目移しを行う。これにより衿部分１１ａは衿ぐり部分１１ｃがあった位置へと編目の配列を左右入れ替えた状態で移動されたことになる（図４のＦに相当）。
続くステップ２４は後身頃５のコース編成を示し、ラッキングを原点の状態に復帰させた状態で針Ｈ〜Ｕに給糸して行う。この編成を繰り返し行って後身頃５を編成する。これにより衿部分１１ａの最終コースに続いて衿ぐり部分１２ａを含む後身頃５が編成されるために衿ぐり部分１２ａと衿部分１１ａは接合される。その後、後身頃５は裾９側で編み終えるがこれら編成は公知故ここでは省略する。
以上のように編成することで衿編地１１を身頃に形成した衿ぐり１２に接合した状態でベスト１を編み終えることができる。このように編まれたベスト１は続く縫製工程において袖ぐりを完成させ、袖ぐりから裾にかけての脇ラインで前身頃と後身頃を縫合する。また衿編地１１の左右の端どうし２０ａ，２０ｂを縫合することでベストが完成する。衿編地は編み出し側を衿の先端とし、編み終わり側で身頃に接合されているので従来のシームレスニットにより形成される衿とは異なり、縫製により衿編地を衿ぐりに縫合して仕上げられるニットウエアと同じような仕上がりとすることができる。
＜実施例２＞
次にＶ形の衿ぐりを有する場合の衿編地と衿ぐりの編成について以下説明する。この実施例は先の実施例のように衿ぐり基部にフラットな部分がなく、衿ぐり３２は第１衿ぐり部分３２ａ、第２衿ぐり部分３２ｂ、第３衿ぐり部分３２ｃで形成され、衿編地３１は第１衿部分３１ａ、第２衿部分３１ｂ、第３衿部分３１ｃで形成される。Ｖ形の衿ぐり３２に沿って接合される衿編地３１を図１０に示す。図１１は衿編地３１を得るための概略の編成方法を示す。衿編地３１は先の実施例と同じく編出し側ｓが衿の先端となり、編終わり側ｏが衿ぐり３２と接合される。衿編地３１は所定コース、例えば２コース編成する毎にＶ剣先３７を中心に衿部分３１ａ、３１ｂ・３１ｃを外側に移動させ編み幅を広げていく。これにより衿編地３１は編み出し側よりも編み終わり側のほうがウエール数が多くなり、横編機から外された状態では図１０に示すようなＶ字形状となる。図１２は衿編地３１と衿ぐり３２の接合編成の接合工程を模式的に示す。図１２のＡは左前身頃１３を編成し、衿部分３１ａを衿ぐり部分３２ａに接合した状態を示し、Ｂは右前身頃１５を編成して衿部分３１ｂを衿ぐり部分３２ｂに接合した状態を示す。Ｃは衿部分３１ｃを衿ぐり開口上に移動させた状態を示す（図４のＦに相当）。
なお上記はニットウエアとしてベストに実施した例を示したが、上記した特開平６−１８４８８６のような袖付きのニットウエアに対しても当然実施できる。また衿ぐりがＵ形、Ｖ形の例を示したが、当然丸形など他の形状の衿ぐりに対しても実施できるのはいうまでもない。また上記実施例では前身頃に続いて後身頃が一体に編成される場合の衿ぐり開口の周囲に衿編地を接合する場合を示したが、前身頃だけを編む場合は、衿編地の編み幅をこれに見合ったものにして編むようにしてもよくあるいは後で縫合される後身頃の衿ぐりの分を編むようにしてもよい。また上記実施例では最後に後身頃に接合される衿編地の第３衿部分を第２衿部分の左側に設けた例を示したが、これに代えて第３衿部分を第１衿部分の右側に設けてもよい。また第３衿部分を２つに分割してそれぞれを第２衿部分と第１衿部分の外側に設けるようにしてもよい。
また特開平１１−４３８４９号公報に開示される編目ループの預け置き方法、所謂ホールディングと呼ばれている編成テクニックを利用すれば２枚ベッド横編機の場合でも目移し用の空針を予め確保せずにすみ全針を使って編地を編成することができる。ホールディング機能を搭載した編機として株式会社島精機製作所製コンピュータ横編機（製品名：ＳＷＧ−ＦＩＲＳＴ）がある。
【図面の簡単な説明】
図１は、本発明の実施例１により編成されるベストの概略平面図を示した図である。図２は、実施例１のベストを肩部で折り畳んだ状態を示した図である。図３は、実施例１によるベストの衿編地と衿ぐりの接合工程の前半部分を模式的に示した図である。図４は、実施例１によるベストの衿編地と衿ぐりの接合工程の後半部分を模式的に示した図である。図５は、図３と図４に示すベストの衿編地と衿ぐりの接合工程を詳細に示した編成ステップ図でその最初の段階を示した図である。図６は、図５に続く接合工程の編成ステップ図である。図７は、図６に続く接合工程の編成ステップ図である。    図８は、図７に続く接合工程の編成ステップ図である。図９は、図８に続く接合工程の編成ステップ図である。図１０は、実施例２により編成される衿編地を示した図である。図１１は、実施例２の衿編地を得るための概略の編成方法を示す。図１２は、実施例２によるベストの衿編地と衿ぐりの接合工程を模式的に示した図である。
【図１】
0004203323.tif 000002
【図２】
0004203323.tif 000003
【図３】
0004203323.tif 000004
【図４】
0004203323.tif 000005
【図５】
0004203323.tif 000006
【図６】
0004203323.tif 000007
【図７】
0004203323.tif 000008
【図８】
0004203323.tif 000009
【図９】
0004203323.tif 000010
【図１０】
0004203323.tif 000011
【図１１】
0004203323.tif 000012
【図１２】
0004203323.tif 000013